(57)【要約】【課題】再生指定された映像データをランダムアクセス可能な記録媒体から読み出して受信装置側の記録媒体に転送して再生する応答性を向上できるようにする。【解決手段】再生装置に配設されているランダムアクセス可能な記録媒体から指定された映像データを読み出して受信装置に転送して再生する際に、前記指定された映像データの実時間再生レートに比べて転送速度を高速とし、前記記録媒体に記録されている前記指定された映像データのみならず、前記再生指定された映像データ以外の映像データの少なくとも一部を前記記録媒体から読み出して前記受信装置に転送することにより、現在再生している映像データと異なる映像データの再生を指定された時に、素早く映像の切り替えを行うことができるようにする。【選択図】図７
2007135103.tif 000002
【特許請求の範囲】
【請求項１】
再生装置に配設されているランダムアクセス可能な記録媒体から映像データを読み出して受信装置に転送して再生する映像再生方法であって、
前記記録媒体に記録された複数の映像データより指定された映像データの再生指示に応じて、前記指定された映像データと共に、前記指定された映像データ以外の映像データの少なくとも一部を前記記録媒体から読み出して前記受信装置に転送することを特徴とする映像再生方法。
【請求項２】
前記指定された映像データの再生指示に応じて、前記指定された映像データの先頭を含む一部分及び前記他の映像データの先頭を含む一部分を前記受信装置に転送した後、前記指定された映像データの未転送部分を転送することを特徴とする請求項１記載の映像再生方法。
【請求項３】
前記指定された映像データの先頭を含む一部分及び前記他の映像データのうちの所定の映像データの先頭を含む一部分を転送した後、前記指定された映像データファイルの未転送部分を転送することを特徴とする請求項１記載の映像再生方法。
【請求項４】
前記再生指定された映像データの先頭を含む一部分及び前記他の全ての映像データの先頭を含む一部分を転送した後、前記再生指定された映像データファイルの未転送部分を転送することを特徴とする請求項１記載の映像再生方法。
【請求項５】
前記指定された映像データの再生指示に応じて転送する一部分は、前記全ての映像データの先頭を含む一部分を転送ために必要な時間分に相当するデータサイズであることを特徴とする請求項４記載の映像再生方法。
【請求項６】
前記指定された映像データ以外の映像データの先頭部分は、ディスクの最大シーク時間分の再生に相当するデータサイズであることを特徴とする請求項１〜５の何れか１項に記載の映像再生方法。
【請求項７】
前記指定された映像データを全て転送した後は転送を指定されていない映像データの未転送部も転送することを特徴とする請求項１〜６の何れか１項に記載の映像再生方法。
【請求項８】
前記指定をされていない映像データの未転送部を転送する際には、前記未転送部分を所定の単位で分割し、順番に転送することを特徴とする請求項１〜７の何れか１項に記載の映像再生方法。
【請求項９】
前記指定をされていない映像データの未転送部を転送する際の分割データは前記ランダムアクセス可能な記録媒体でファイルをシークしている時間、実時間再生することができるサイズを単位とすることを特徴とする請求項１〜８の何れか１項に記載の映像再生方法。
【請求項１０】
前記指定をされていない映像データを転送する際は転送優先順位を判定し、転送優先順に各データを転送することを特徴とする請求項１〜９の何れか１項に記載の映像再生方法。
【請求項１１】
前記転送優先順位の判定は、再生を指定された映像データの記録時刻に対して近い時刻の映像データを転送優先順位の上位に位置付けることを特徴とする請求項１０記載の映像再生方法。
【請求項１２】
前記再生装置に配設されているランダムアクセス可能な記録媒体は光ディスクであることを特徴とする請求項１〜１１の何れか１項に記載の映像再生方法。
【請求項１３】
再生装置に配設されているランダムアクセス可能な記録媒体から映像データを読み出して受信装置に転送して再生する映像再生装置であって、
前記記録媒体に記録された複数の映像データより指定された映像データの再生指示に応じて、前記指定された映像データと共に、前記指定された映像データ以外の映像データの少なくとも一部を前記記録媒体から読み出す手段と、
前記手段により読み出されたデータを前記受信装置に転送する手段を有することを特徴とする映像再生装置。
【請求項１４】
前記指定された映像データの再生指示に応じて、前記指定された映像データの先頭を含む一部分及び前記他の映像データの先頭を含む一部分を前記受信装置に転送した後、前記指定された映像データの未転送部分を転送する手段を有することを特徴とする請求項１３記載の映像再生装置。
【請求項１５】
前記指定された映像データの先頭を含む一部分及び前記他の映像データのうちの所定の映像データの先頭を含む一部分を転送した後、前記指定された映像データファイルの未転送部分を転送する手段を有することを特徴とする請求項１３記載の映像再生装置。
【請求項１６】
前記再生指定された映像データの先頭を含む一部分及び前記他の全ての映像データの先頭を含む一部分を転送した後、前記再生指定された映像データファイルの未転送部分を転送する手段を有することを特徴とする請求項１３記載の映像再生装置。
【請求項１７】
前記指定された映像データの再生指示に応じて転送する一部分は、前記全ての映像データの先頭を含む一部分を転送ために必要な時間分に相当するデータサイズであることを特徴とする請求項１６記載の映像再生装置。
【請求項１８】
前記指定された映像データ以外の映像データの先頭部分は、ディスクの最大シーク時間分の再生に相当するデータサイズであることを特徴とする請求項１３〜１７の何れか１項に記載の映像再生装置。
【請求項１９】
前記指定された映像データを全て転送した後は転送を指定されていない映像データの未転送部も転送する手段を有することを特徴とする請求項１３〜１８の何れか１項に記載の映像再生装置。
【請求項２０】
前記指定をされていない映像データの未転送部を転送する際には、前記未転送部分を所定の単位で分割し、順番に転送する手段を有することを特徴とする請求項１３〜１９の何れか１項に記載の映像再生装置。
【請求項２１】
前記指定をされていない映像データの未転送部を転送する際の分割データは前記ランダムアクセス可能な記録媒体でファイルをシークしている時間、実時間再生することができるサイズを単位とすることを特徴とする請求項１３〜２０の何れか１項に記載の映像再生装置。
【請求項２２】
前記指定をされていない映像データを転送する際は転送優先順位を判定する判定手段を有し、前記判定手段により判定された転送優先順に各データを転送することを特徴とする請求項１３〜２１の何れか１項に記載の映像再生装置。
【請求項２３】
前記転送優先順位の判定は、再生を指定された映像データの記録時刻に対して近い時刻の映像データを転送優先順位の上位に位置付けることを特徴とする請求項２２記載の映像再生装置。
【請求項２４】
前記再生装置に配設されているランダムアクセス可能な記録媒体は光ディスクであることを特徴とする請求項１３〜２３の何れか１項に記載の映像再生装置。
【請求項２５】
再生装置に配設されているランダムアクセス可能な記録媒体から映像データを読み出して受信装置に転送して再生する映像再生方法をコンピュータに実行させるプログラムであって、
前記記録媒体に記録された複数の映像データより指定された映像データの再生指示に応じて、前記指定された映像データと共に、前記指定された映像データ以外の映像データの少なくとも一部を前記記録媒体から読み出して前記受信装置に転送する処理をコンピュータに実行させることを特徴とするプログラム。
【請求項２６】
前記請求項２５に記載のプログラムを記録したことを特徴とするコンピュータ読み取り可能な記録媒体。
【発明の詳細な説明】
【技術分野】
【０００１】
本発明は、映像再生方法及び映像再生装置に関し、特に、一方の記録再生装置に配設されたランダムアクセス可能な記録媒体と、他方の記録再生装置に配設されたハードディスクドライブとの間で映像データを高速に転送して、前記ハードディスクに高速に映像データを蓄積するとともに、同時にモニタ上で通常再生の映像や速見映像や再生順序を入れ換えた映像を視聴するために用いて好適な技術に関する。
【背景技術】
【０００２】
従来、映像信号を撮影して磁気テープに記録再生するビデオカメラが知られている。
また、近年では、磁気テープに代えて、ＤＶＤなどの光ディスクに対して映像信号を記録再生するディスクビデオカメラも登場している。
【０００３】
一方、家庭用の記録再生装置においてはビデオテープレコーダ（ＶＴＲ）に代わって、近年、大容量のハードディスク（ＨＤＤ）と光ディスクドライブとを備え、テレビジョン放送を受信して記録するＨＤＤレコーダも登場してきており、一般家庭にも急速に普及しつつある（例えば、特許文献１を参照）。
【０００４】
【特許文献１】特開２００５−４４４００号公報
【発明の開示】
【発明が解決しようとする課題】
【０００５】
ところで、ビデオカメラにて撮影した映像を再生する際には、テレビモニタとビデオカメラとを映像ラインで接続し、ビデオカメラを操作することが一般的である。ディスクビデオカメラにおいても、このような視聴形態が考えられる。その際に、ディスク上に記録された映像信号から、ユーザが所望の映像を選択して再生するようにすることが考えられる。
【０００６】
光ディスクは磁気テープと異なり、ランダムアクセス可能なメディアであるため、所望の映像信号を迅速に検索、再生することができる。このようなランダム再生を行う際には、所望の映像信号の記録位置にピックアップを移動するシーク動作が発生する。
【０００７】
しかしながら、携帯用機器であるディスクビデオカメラにおいては、消費電力の削減やレイアウト等の理由により、一般的に、ピックアップを高速に移動することができる大型のシークモータを使用していない。
【０００８】
そのため、据え置き型のＤＶＤレコーダやＨＤＤレコーダなどに比べて、ディスク上の所望の位置までピックアップを移動するための時間が長くかかってしまう。また、早送り時においても同様にピックアップのシーク動作が発生するため、やはり、ユーザの操作に対して応答が悪いという問題があった。
本発明は前述の問題点に鑑み、再生指定された映像データをランダムアクセス可能な記録媒体から読み出して他の記録媒体に転送して再生する際の応答性を向上できるようにすることを目的とする。
【課題を解決するための手段】
【０００９】
本発明の映像再生方法は、再生装置に配設されているランダムアクセス可能な記録媒体から映像データを読み出して受信装置に転送して再生する映像再生方法であって、前記記録媒体に記録された複数の映像データより指定された映像データの再生指示に応じて、前記指定された映像データと共に、前記指定された映像データ以外の映像データの少なくとも一部を前記記録媒体から読み出して前記受信装置に転送することを特徴とする。
【００１０】
本発明の映像再生装置は、再生装置に配設されているランダムアクセス可能な記録媒体から映像データを読み出して受信装置に転送して再生する映像再生装置であって、前記記録媒体に記録された複数の映像データより指定された映像データの再生指示に応じて、前記指定された映像データと共に、前記指定された映像データ以外の映像データの少なくとも一部を前記記録媒体から読み出す手段と、前記手段により読み出されたデータを前記受信装置に転送する手段を有することを特徴とする。
【００１１】
本発明のプログラムは、再生装置に配設されているランダムアクセス可能な記録媒体から映像データを読み出して受信装置に転送して再生する映像再生方法をコンピュータに実行させるプログラムであって、前記記録媒体に記録された複数の映像データより指定された映像データの再生指示に応じて、前記指定された映像データと共に、前記指定された映像データ以外の映像データの少なくとも一部を前記記録媒体から読み出して前記受信装置に転送する処理をコンピュータに実行させることを特徴とする。
【００１２】
本発明の記録媒体は、前記に記載のプログラムをコンピュータ読み取り可能に記録したことを特徴とする。
【発明の効果】
【００１３】
本発明によれば、再生指定された映像データをランダムアクセス可能な記録媒体から読み出して他の記録媒体に転送して再生する応答性を向上することが可能となる。これにより、現在再生している映像データと異なる映像データの再生を指定された時に、素早く映像の切り替えを行うことができる。
【発明を実施するための最良の形態】
【００１４】
（第１の実施形態）
以下、本発明の実施形態を図面を参照して詳細に説明する。
図１は本発明の一実施形態で使用するシステムの構成例を示すブロック図である。図１のシステムは、光ディスクに記録された映像データを再生して送信する光ディスクストレージ装置１３と、映像を受信する記録再生装置８より構成される。
【００１５】
本実施形態において、記録再生装置８は、装置全体を制御するシステムコントローラ４、転送されてくる映像データを保持するハードディスク５、符号化された映像データを復号化するコーデック３を有している。また、コーデック３を介して復号する映像データが保持されるメモリ６、映像表示出力回路２を介して復号された映像データが再生表示されるモニタ１を有している。
【００１６】
また、１３はディスクカムコーダやディスクドライブなどの光ディスクストレージ装置である。本実施形態においては、回転式のディスク媒体を有する光ディスクストレージ部１２、前記光ディスクストレージ部１２から映像データの読み出しを行うディスクアクセス制御回路１１を有している。また、読み出された映像データを前記記録再生装置８へ向けて転送するデータ転送装置１０を有し、高速伝送路９により光ディスク１２に記録されている映像データのデータレートの数倍〜数十倍程度の伝送レートでデータを伝送可能に構成している。
【００１７】
次に、これらの装置を用いた映像の転送、再生方法について図１、図２及び図７を用いながら説明する。
本実施形態では、図２のように光ディスクストレージ装置１３にはファイルＡ、ファイルＢ及びファイルＣの３つの映像データファイルが保存されており、ファイルＡの再生が指示されたものを説明する。
【００１８】
先ず、ユーザにより、光ディスクストレージ部１２のディスクに保存されているファイルＡの再生が指示される。すると、ステップＳ７１でディスクアクセス装置は、ファイルＡの先頭部分にあたるA0を、データ転送装置１０を介して記録再生装置８へ向けて転送する。
【００１９】
次に、ステップＳ７２において、他ファイルの再生指示の有無を判断する。この判断の結果、他ファイルのデータ転送が指示された場合にはステップＳ７１に戻る。また、他ファイルのデータ転送が指示されなかった場合にはステップＳ７３に進み、図２に示した再生を指示されていない映像データであるファイルＢの先頭部分のデータB0、ファイルＣの先頭部分のデータC0を転送する。
【００２０】
そのため、先に転送されているファイルＡのデータA0は、少なくともファイルＢのデータB0、ファイルＣのデータC0を転送し、ファイルＡの残りのデータが転送されるまでは、実時間再生をとぎらせることの無いサイズよりも大きくなくてはならない。
【００２１】
また、ファイルＢのデータB0、ファイルＣのデータC0は、ファイルＢ及びファイルＣの再生を指示してからディスク中のファイルのシークにかかる時間、実時間再生を行えるデータサイズ分を転送しておくものとする。
【００２２】
システムコントローラ４は、ハードディスク５にファイルＡのデータＡ０の転送が完了したことに応じて、このデータＡ０の先頭からデータの読み出しを開始し、コーデック３による復号を行ってモニタ１への表示を開始する。
【００２３】
ステップＳ７３において、再生を指定されていない全てのファイルの先頭部分を転送中に、他ファイルの再生指示の有無を判断する（ステップＰ１）。この判断の結果、他ファイルの再生指示が有った場合にはステップＳ７１に戻る。また、他ファイルの再生指示が無かった場合にはステップＳ７３の処理を続行する。
【００２４】
そして、ステップＳ７３による各ファイルの先頭部分の転送が完了すると、ステップＳ７４に進み、再生指定ファイルの未転送部分を転送する。この処理を行っている最中にも他ファイルの再生指示の有無を判断する（ステップＰ２）。この判断の結果、他ファイルの再生指示が有った場合にはステップＳ７４に戻り、ストレージ装置１３より記録再生装置８に対し、新たに再生指定されたファイルの再生を指示する信号を出力する。記録再生装置８では、この新たに再生指定されたファイルの先頭データをハードディスク５から読み出してデコード、表示を開始する。光ディスクストレージ装置１３では、この新たに指定されたファイルの未転送部を転送する。
【００２５】
また、ステップＰ２の判断の結果、他ファイルの再生指示が無かった場合には、それまで行っていたステップＳ７４の処理を続行する。
【００２６】
そして、ステップＳ７４による未転送部分の転送が完了すると、ステップＳ７５に進み、再生を指定されていないファイルの未転送部を分割転送する。本実施形態の場合、ファイルＢまたはファイルＣの映像データの残りを、図２を参照しながら前述したデータB0、データC0と同じデータサイズで分割して順次転送する。
【００２７】
ステップＳ７５において、再生を指定されていないファイルの未転送部を分割転送している最中にも他ファイルの再生指示の有無を判断する（ステップＰ３）。この判断の結果、再生指示が有った場合にはステップＳ７４に戻り、前述したように再生指定されたファイルの残りの未転送部分を全て転送する。また、再生指示が無かった場合には処理を終了する。
【００２８】
本実施形態においては前述した処理手順でファイルの転送を行うので、例えば、ステップＳ７３、ステップＳ７４及びステップＳ７５の処理を行っている最中に、他ファイルの再生指示が無かった場合（ステップＰ１〜Ｐ３の判断処理が無かった場合）、図２の例ではデータA0、B0、C0、A1、B1、C1、B2、C2の順にデータ転送が行われる。そして、ステップＳ７５の転送途中で他ファイルのデータ転送が指示されず、全てのファイルのデータの転送が完了すると処理を終了する。
【００２９】
このようにして、ファイルＢ及びファイルＣを分割して順に転送する理由はファイルＡの再生途中でファイルＢまたはファイルＣのうち、どちらのファイルの再生を指示された場合にも、ハードディスク５に映像データをある程度蓄積しておくことで、トリックプレイが素早く実行できるようにするためである。
【００３０】
データ転送された映像データは、映像信号分配器7を介して再生を指示されているファイルＡに関するデータはメモリ６及びハードディスク５にファイルＢ、ファイルＣに関するデータはハードディスク５に転送される。
【００３１】
このとき、メモリ６に転送されたデータはコーデック３を介して復号化され映像表示出力回路２を介してモニタ１に実時間で表示される。この際、メモリ６の映像データが再生済みになるとメモリ６はシステムコントローラ４に信号を転送し、システムコントローラ4はこれを受けてハードディスク５に次のデータ読み出しを命令し、メモリ６の内容を書き換える。このようにして、高速に転送した映像データは実時間で表示がなされる。
【００３２】
また、図３のようにファイルＢ、ファイルＣの先頭部分の転送後はハードディスク５の記録位置RECは再生位置PBに対して常に先行する。このため、光ディスクストレージ装置１３中のディスクに対して一々アクセスを行わなくてもシステムコントローラ４を介し、ハードディスク５にランダムアクセスすることでトリックプレイを行うことが可能になる。特に、この書き込み位置ＲＥＣと読み出し位置ＰＢとの差は、時間の経過とともに漸次大きくなっていくため、この差の広がりがトリックプレイの自由度を増し、リバース方向のトリックプレイもできることとなる。
【００３３】
次に、ファイルＡの再生途中にファイルＢの再生を指定された際の映像の転送、再生方法について図１、図４、図７を用いながら説明する。ここではファイルＡの再生途中のステップＳ７４でファイルＢの再生が指定された場合を説明する。
【００３４】
ファイルＢの再生が指定されると、ディスクアクセス制御回路１１はステップＳ７４でファイルＢのまだ転送が行われていない映像データのシークを行い、指定されたファイルを読み出して、データ転送装置１０を介して記録再生装置８へ向けて転送する。
【００３５】
続いて、ステップＳ７５でファイルＡ、ファイルＣの映像データの残りをA0、C0と同じデータサイズで分割して順次転送する。つまり、図４に示すようにB1、C１、A2、C2、A3の順にデータ転送が行われる。
【００３６】
また、ディスクアクセス制御回路１１がファイルＢのシークを始めると同時に、システムコントローラ４はハードディスク５に保持されているファイルＢの先頭部分のデータB0の読み出しを命令する。これにより、メモリ６の内容がファイルＡの映像データから再生を行うファイルＢの映像データに書き換えられる。
【００３７】
ハードディスク５に保持されているデータB0は、再生を指示してからディスク中のファイルのシークにかかる時間、実時間再生を行えるデータサイズである。このため、光ディスクストレージ装置１３がファイルＢのまだ転送が行われていない映像データのシークを行っている間はデータB0の再生を行う。その後は、光ディスクストレージ装置１３から転送されてくるファイルＢの残りの映像データを再生することで、映像データをとぎらせることなく素早く映像データの切り替えを行うことができる。
【００３８】
以上のように、本実施形態の映像転送再生方法によれば、光ディスクストレージ装置１３からハードディスク５に映像データを転送するに当たり、ハードディスク５を用いた高いトリックプレイの自由度を保ちながら、再生映像ファイルの切り替えを素早く行うことができる。本実施形態では、ディスクに保存されているファイルとしてA、B、Cの３つの場合を取り扱ったが、ファイルの数はいくつでもよい。また、本実施形態では光ディスクに記録されている全てのファイルを転送しているが転送しなくてもよい。
【００３９】
（第２の実施形態）
次に、図５を参照しながら、本発明に係る映像転送再生方法のもう一つの実施形態について詳細に説明する。ただし、第２の実施形態に係る映像転送再生方法は第１の実施形態とほぼ同じ構造を有するが、ディスクアクセス制御回路５１が転送順位判定手段５２を有する点が異なる。
【００４０】
次に、これらの装置を用いた映像の転送、再生方法について、図５及び図６を用いながら説明する。
本実施形態でも第１の実施形態のようにファイルＡの再生が指示されたものを例に挙げて説明する。まず、ファイルＡの先頭部分にあたるデータA0の転送を第１の実施形態と同様に行う。ただし、その際、ディスクアクセス制御回路５１中の転送順位判定手段５２はファイルＡの記録時刻を保持しておく。
【００４１】
転送順位判定手段５２は、ファイルＢ、ファイルＣ、第４のファイルＤの先頭部分のデータB0、C0、D0を転送する際にもファイルＢ、ファイルＣ及び第４のファイルＤの記録時間を保持する。そして、ファイルＡの記録時間に近いものから順に１位、２位、３位といったように順位付けを行う。
【００４２】
本実施形態では、ファイルＡの記録時間に近い順にファイルＢ、ファイルＣ、第４のファイルＤとなっており、各ファイルに割り当てられる順位がファイルＢが１位、ファイルＣが２位、第４のファイルＤが３位となっているものとする。
【００４３】
続いて、転送されていないファイルＡの全ての映像データを転送した後、残りのファイルデータが分割され、順番に転送される。その際に、ディスクアクセス制御回路５１はファイルＢ、ファイルＣ、第４のファイルＤの順位に応じて光ディスクストレージ部１２中のディスクからデータを読み出し、データ転送装置１０を介してデータを転送する。
【００４４】
本実施形態では、転送順位はファイルＢが１位であるため、まずファイルＢから優先的に転送を行い、続いてファイルＣ、第４のファイルＤの順に転送が行われる。図６を例にするとデータB1、B2、C1、B3、D1、C2、D2、C3、D3といった順にデータの転送が行われる。このように、転送の順位を決める理由はファイルＡの記録時刻に近い時刻に近いファイルが次に再生を指定される可能性が高いためである。
【００４５】
以上の結果、ファイルＡの再生中にファイルＢの再生が指示された場合、第１の実施形態に比べ、ハードディスク５に多くのデータが蓄積されているため、初めから高い自由度を持ったトリックプレイを行うことができる。本実施形態ではディスクに保存されているファイルとしてファイルＡ、ファイルＢ、ファイルＣ及び第４のファイルＤの４つの場合を取り扱ったが、ファイルの数はいくつでもよい。また、本実施形態では光ディスクに記録されている全てのファイルを転送しているが、優先順位の低いファイルは転送しなくてもよい。
【００４６】
（本発明に係る他の実施形態）
上述した本発明の実施形態における映像再生装置を構成する各手段、並びに映像再生方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００４７】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００４８】
なお、本発明は、前述した実施形態の機能を実現するソフトウェアのプログラム（実施形態では図７に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００４９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５０】
その場合、プログラムの機能を有していれば、オブジェクトコード、インタプリタにより実行されるプログラム、ＯＳに供給するスクリプトデータ等の形態であってもよい。
【００５１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ，ＤＶＤ−Ｒ）なども含む。
【００５２】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００５３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５５】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５６】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５７】
【図１】本発明の第１の実施形態を示し、映像再生装置の構成例を示すブロック図である。
【図２】本発明の第１の実施形態における映像再生方法を説明する図である。
【図３】図１中のハードディスクにおける記録領域内の映像データの書き込み位置と読み込み位置を説明する図である。
【図４】本発明の第１の実施形態における映像再生途中で他の映像の再生を指定された際の映像再生方法を説明する図である。
【図５】本発明の第２の実施形態を示し、映像再生装置の構成例を示すブロック図である。
【図６】本発明の第２の実施形態における映像再生方法を説明する図である。
【図７】本発明の実施形態において行われる映像再生方法の転送手順例を示すフローチャートである。
【符号の説明】
【００５８】
１  モニタ
２  映像表示出力回路
３  コーデック
４  システムコントローラ
５  ハードディスク
６  メモリ
７  映像信号分配器
８  記録再生装置
９  高速伝送路
１０  データ転送装置
１１  ディスクアクセス制御回路
１２  光ディスクストレージ部
１３  光ディスクストレージ装置
３０  ハードディスクの記録領域
５１  ディスクアクセス制御回路
５２  転送順位判定手段
REC  記録位置
PB  再生位置
【図１】
2007135103.tif 000003
【図２】
2007135103.tif 000004
【図３】
2007135103.tif 000005
【図４】
2007135103.tif 000006
【図５】
2007135103.tif 000007
【図６】
2007135103.tif 000008
【図７】
2007135103.tif 000009